(57)【要約】【課題】情報の記録再生に対する蓄積媒体の適性を判定可能な映像蓄積装置を提供することを課題とする。【解決手段】エンコーダ装置２１が出力する符号化ストリーム２ｂを蓄積媒体２４へ書き込み、蓄積された符号化ストリームを符号化データ２ｆとして読み出すストリームコントロール装置２４と、蓄積媒体２４の脱着時に起動信号１ｂ及び１ｃを出力するシステムコントロールマイクロプロセッサ１２と、起動信号１ｂを受けテスト用符号化データ１ｅを符号化ストリーム２ｂの代わりにストリームコントロール装置２２に送出するパターンメモリ１４と、起動信号１ｃを受けストリームコントロール装置２２が出力する符号化データ２ｆとテスト用符号化データ１ｅと同じデータとを比較する比較器１７とを備えた。【選択図】      図１
2005018899.tif 000002
【特許請求の範囲】
【請求項１】
入力されたデジタル映像及び音声信号を符号化し、符号化ストリームとして出力するエンコーダ手段と、
前記符号化ストリームを蓄積する蓄積媒体と、
前記エンコーダ手段が出力する符号化ストリームを前記蓄積媒体へ書き込み、前記蓄積媒体に蓄積された符号化ストリームを再生データとして読み出すストリームコントロール手段と、
該ストリームコントロール手段が読み出した前記再生データを復号化するデコーダ手段と、
第１及び第２の制御信号を出力するシステムコントロール手段と、
前記第１の制御信号を入力とし、該第１の制御信号が入力された場合に、予め設定されたパターンの符号化ストリームを、前記エンコーダ手段が出力する符号化ストリームの代わりに前記ストリームコントロール手段に送出するパターン出力手段と、
前記第２の制御信号を入力とし、該第２の制御信号が入力された場合に、前記ストリームコントロール手段が前記蓄積媒体から読み出した前記再生データを入力とし、該再生データが、前記パターン出力手段から送出された符号化ストリームと一致するかどうかを比較し、比較結果に基づき前記蓄積媒体の判定結果を出力する判定手段とを備えたことを特徴とする映像蓄積装置。
【請求項２】
入力されたデジタル映像及び音声信号を符号化し、符号化ストリームとして出力するエンコーダ手段と、
前記符号化ストリームを蓄積する蓄積媒体と、
前記エンコーダ手段が出力する符号化ストリームを前記蓄積媒体へ書き込み、前記蓄積媒体に蓄積された符号化ストリームを再生データとして読み出すストリームコントロール手段と、
該ストリームコントロール手段が読み出した前記再生データを復号化するデコーダ手段と、
第１及び第２の制御信号を出力するシステムコントロール手段と、
前記第１の制御信号を入力とし、該第１の制御信号が入力された場合に、予め設定されたパターンの符号化ストリームを、前記エンコーダ手段が出力する符号化ストリームの代わりに前記ストリームコントロール手段に送出するパターン出力手段と、
前記第２の制御信号を入力とし、該第２の制御信号が入力された場合に、前記デコーダ手段が復号化したデータを入力とし、該復号化したデータが、前記パターン出力手段から送出された符号化ストリームを復号化したデータと一致するかどうかを比較し、比較結果に基づき前記蓄積媒体の判定結果を出力する判定手段とを備えたことを特徴とする映像蓄積装置。
【請求項３】
前記判定手段の判定結果を表示する表示手段と、
ユーザの指示を前記システムコントロール手段に伝えるユーザインタフェイスとを備え、
前記システムコントロール手段は、ユーザ指示に基づいた指示を、前記エンコーダ手段と、デコーダ手段とに与えることを特徴とする請求項１または請求項２のいずれか一方に記載の映像蓄積装置。
【請求項４】
前記判定結果を入力とし、該判定結果が、前記蓄積媒体が映像、音声の記録再生に適していないことを示す場合に、前記蓄積媒体を取り外す脱着手段を備えたことを特徴とする請求項１または請求項２のいずれか一方に記載の映像蓄積装置。
【請求項５】
ユーザの指示に基づいて、前記エンコーダ手段と、前記パターン出力手段とに、ビットレート変更の指示を出すビットレート変更指示手段を備えたことを特徴とする請求項１または請求項２のいずれか一方に記載の映像蓄積装置。
【請求項６】
前記蓄積媒体の脱着を検出して、検出信号を前記システムコントロール手段に出力する検出手段を備え、
前記システムコントロール手段は、検出信号に応じて前記第１及び第２の制御信号を送出することを特徴とする請求項１または請求項２のいずれか一方に記載の映像蓄積装置。
【請求項７】
任意の時間毎に前記蓄積媒体の接続状況を判定して、前記蓄積媒体の脱着が検出された場合に検出信号を前記システムコントロール手段に出力する検出手段を備え、
前記システムコントロール手段は、前記検出信号に応じて前記第１及び第２の制御信号を送出することを特徴とする請求項１または請求項２のいずれか一方に記載の映像蓄積装置。
【請求項８】
前記パターン出力手段が、ＤＶＤ−Ｖｉｄｅｏ  Ｆｏｒｍａｔで記載された符号化ストリームを、前記エンコーダ手段が出力する符号化ストリームの代わりにストリームコントロール手段に出力することを特徴とする請求項１記載の映像蓄積装置。
【請求項９】
前記パターン出力手段が、ＤＶＤ−Ｖｉｄｅｏ  Ｆｏｒｍａｔ、またはＭＰＥＧ  Ｔｒａｎｓｐｏｒｔ  Ｓｔｒｅａｍで記載された符号化ストリームを、前記エンコーダ手段が出力する符号化ストリームの代わりに前記ストリームコントロール手段に出力することを特徴とする請求項２記載の映像蓄積装置。
【発明の詳細な説明】
【０００１】
【発明の属する技術分野】
本発明は、映像蓄積装置に関し、特に、デジタル映像及び音声信号を入力し、エンコーダ装置で符号化した後、符号化データを蓄積媒体に蓄積するとともに、この蓄積媒体からの符号化データをデコーダ装置で復号化し、映像及び音声を出力する映像蓄積装置に関するものである。
【０００２】
【従来の技術】
近年、映像や音声をデジタル化し、ＭＰＥＧ（ＩＳＯ／ＩＥＣ１３８１８−２）等の圧縮技術を用いて音声や映像を圧縮する技術が普及し始めた。映像や音声のデジタル化につれ、それを蓄積するための蓄積媒体もＶＨＳ等のアナログ記録再生媒体からＤ−ＶＨＳ、ＤＶＤ−ＲＡＭ、ハードディスク等のデジタル記録再生可能な媒体に変化してきた。
【０００３】
特にＤＶＤやハードディスク等のディスク媒体や、メモリーカード等のメモリ媒体は、テープ媒体と異なり、ランダムアクセス性や高速性に優れている。そのため、デジタル映像や音声の記録を行いながら再生を行う、いわゆる同時記録再生を実現することが可能になった。
【０００４】
図２に従来の同時録画再生が可能な映像蓄積装置の構成を示すブロック図であり、図において、エンコーダ装置１２１は、入力されたデジタル映像及び音声信号１０２ａを符号化し、符号化データ１０２ｂを出力する。映像信号の圧縮には、ＭＰＥＧビデオ（ＩＳＯ／ＩＥＣ１３８１８−２）が用いられ、音声圧縮には、ＭＰＥＧ  Ａｕｄｉｏ（ＩＳＯ／ＩＥＣ１１１７２）や、ＡＣ３（ＡＴＳＣ  Ｓｔａｎｄａｒｄ）等が用いられる。これらの符号化データは、ＩＳＯ／ＩＥＣ１３８１８−１の方式に従って多重化され符号化データ１０２ｂとして出力される。符号化データ１０２ｂは、ストリームコントロール装置１２２に入力され、バッファ１２３に格納される。バスシステム１２７はアービトレーションを行い、バッファ１２３から記録データ１０２ｃを送受信データ１０２ｄとして蓄積媒体１２４に送出する。蓄積媒体１２４は、ＤＶＤやハードディスク等のデジタルデータ蓄積が可能な媒体であり、送出データ１０２ｄを記録することが可能である。バスシステム１２７はアービトレーションを行い、蓄積媒体１２４から送受信データ１０２ｄを再生し、バッファ１２５に再生データ１０２ｅを格納する。バスシステム１２７は、データ１０２ｃ、データ１０２ｅのアービトレーションを行うことで同時記録再生を可能とする。デコーダ装置１２６は、バッファ１２５から送出された符号化データ１０２ｆを、デコーダ装置１２６で復号化し、復号化データ１０２ｇを出力する。
【０００５】
次に、記録、再生ストリームの転送レートについて述べる。バッファ１２３が毎秒Ｓ１ビットの記録データ１０２ｃを出力するとする。バッファ１２５は、毎秒Ｓ２ビットの再生データ１０２ｅを必要とするとする。蓄積媒体１２４への書き込み転送レートの最悪値を毎秒Ｍ１ビットとし、蓄積媒体１２４からの読み出し転送レートの最悪値を毎秒Ｍ２ビットとすると、蓄積媒体への記録にかかる時間Ｔ１と、再生にかかる時間Ｔ２は各々Ｔ１＝Ｓ１／Ｍ１（秒），Ｔ２＝Ｓ２／Ｍ２（秒）となる。
【０００６】
図５は、図２において示したバスシステム１２７の構成を示す図である。蓄積管理装置１５３は、蓄積媒体１２４への書き込み動作、読み出し動作を監視し、状態信号１０５ｂを出力する。タイミング生成装置１５１は、記録動作が行われているときは、初めに蓄積媒体１２４へ書き込み動作が行われるようにセレクタ１５２をタイミング制御信号１０５ａを使って操作する。蓄積媒体１２４への書き込みは、Ｔ１（秒）以内に終了し、蓄積管理装置１５３に書き込みが終了したことが通知される。タイミング生成装置１５１は、状態信号１０５ｂにより書き込み終了、又は記録動作が行われていない時に、蓄積媒体１２４からデータを読み出すようにタイミング制御信号１０５ａを操作して、再生動作を行う。蓄積媒体１２４からの読み出しは、Ｔ２（秒）以内に終了し、蓄積管理装置１５３に書き込みが終了したことが通知される。もし記録動作を行う必要がなければ、引き続き再生動作を行い、そうでなければ、記録処理を行うように、制御信号１０５ａを制御する。
【０００７】
蓄積媒体１２４に求められる性能について述べると、記録を行う場合は、Ｔ１は１秒以下でなくてはならない。再生を行う場合は、Ｔ２は１秒以下でなくてはならない。また、記録と再生を同時に行う場合は、Ｔ１＋Ｔ２は１秒以下でなくてはならない。すなわちＴ１が１秒より大きくなるような特性をもつ蓄積媒体１２４は、記録を行うことができない。Ｔ２が１秒より大きくなるような特性をもつ蓄積媒体１２４は、再生を行うことができない。Ｔ１＋Ｔ２が１秒より大きくなるような特性をもつ蓄積媒体１２４は、記録と再生を同時に行うことができない。
【０００８】
蓄積媒体１２４として、テープメディア、ＤＶＤ、ハードディスクが用いられており、映像蓄積装置の設計時に既に組み込まれている場合が多い。そのため初期設計段階において、蓄積媒体２４の特性が十分に検討された上で、蓄積媒体２４が組み込まれている。この組み込まれた蓄積媒体２４は取り外すことはできない。
【０００９】
しかしながら、メモリカードや脱着式のハードディスクが普及するにつれ、蓄積媒体２４と取り外して、別の蓄積媒体２４に交換することが可能になった。その際、交換された蓄積媒体２４が上述したような性能を満たすかどうかの保証を持つことはできない。
【００１０】
蓄積媒体１２４がテープ媒体の場合においては、蓄積媒体２４が適切な特性をもつかどうかを事前に調べるための仕組みが示されている（例えば特許文献１参照）。これによれば蓄積媒体２４がテープ媒体の場合は、記録再生を行う前に、その蓄積媒体２４が映像、音声の記録再生に適しているかどうかを判定することができる。しかしながら、蓄積媒体２４がディスクやメモリ媒体の場合、映像音声の記録再生に適しているかどうかを事前に判定する手段がなかった。
【００１１】
【特許文献１】
特開平６−１２４４０３号公報
【００１２】
【発明が解決しようとする課題】
このように、従来の映像蓄積装置は、テープ媒体以外の蓄積媒体についてはあらかじめ映像や音声の記録再生に適しているかどうかを調べるシステムがないため、メモリや光ディスクなどの交換可能な蓄積媒体を用いる場合、その蓄積媒体が映像、音声の記録再生に適した特性を持つかどうかはどうかは、実際の映像、しかも発生符号量がピークとなるような映像を同時録画再生してみなければわからなかった。そのため、音声や映像の符号発生量がピークとなる時間が、コンテンツの真ん中にきた場合、真ん中まで記録再生した時点で、記録再生が停止、または誤った記録再生動作を行うという問題点があった。
【００１３】
本発明はこのような問題を解消するためになされたものであり、情報の記録再生に対する蓄積媒体の適性を判定可能な映像蓄積装置を提供することを課題とする。
【００１４】
【課題を解決するための手段】
この発明に係る映像蓄積装置は、入力されたデジタル映像及び音声信号を符号化し、符号化ストリームとして出力するエンコーダ手段と、前記符号化ストリームを蓄積する蓄積媒体と、前記エンコーダ手段が出力する符号化ストリームを前記蓄積媒体へ書き込み、前記蓄積媒体に蓄積された符号化ストリームを再生データとして読み出すストリームコントロール手段と、該ストリームコントロール手段が読み出した前記再生データを復号化するデコーダ手段と、第１及び第２の制御信号を出力するシステムコントロール手段と、前記第１の制御信号を入力とし、該第１の制御信号が入力された場合に、予め設定されたパターンの符号化ストリームを、前記エンコーダ手段が出力する符号化ストリームの代わりに前記ストリームコントロール手段に送出するパターン出力手段と、前記第２の制御信号を入力とし、該第２の制御信号が入力された場合に、前記ストリームコントロール手段が前記蓄積媒体から読み出した前記再生データを入力とし、該再生データが、前記パターン出力手段から送出された符号化ストリームと一致するかどうかを比較し、比較結果に基づき前記蓄積媒体の判定結果を出力する判定手段とを備えたものである。
【００１５】
また、この発明に係る映像蓄積装置は、入力されたデジタル映像及び音声信号を符号化し、符号化ストリームとして出力するエンコーダ手段と、前記符号化ストリームを蓄積する蓄積媒体と、前記エンコーダ手段が出力する符号化ストリームを前記蓄積媒体へ書き込み、前記蓄積媒体に蓄積された符号化ストリームを再生データとして読み出すストリームコントロール手段と、該ストリームコントロール手段が読み出した前記再生データを復号化するデコーダ手段と、第１及び第２の制御信号を出力するシステムコントロール手段と、前記第１の制御信号を入力とし、該第１の制御信号が入力された場合に、予め設定されたパターンの符号化ストリームを、前記エンコーダ手段が出力する符号化ストリームの代わりに前記ストリームコントロール手段に送出するパターン出力手段と、前記第２の制御信号を入力とし、該第２の制御信号が入力された場合に、前記デコーダ手段が復号化したデータを入力とし、該復号化したデータが、前記パターン出力手段から送出された符号化ストリームを復号化したデータと一致するかどうかを比較し、比較結果に基づき前記蓄積媒体の判定結果を出力する判定手段とを備えたものである。
【００１６】
また、前記映像蓄積装置において、前記判定手段の判定結果を表示する表示手段と、ユーザの指示を前記システムコントロール手段に伝えるユーザインタフェイスとを備え、前記システムコントロール手段が、ユーザ指示に基づいた指示を、前記エンコーダ手段と、デコーダ手段とに与えるようにしたものである。
【００１７】
また、前記映像蓄積装置において、前記判定結果を入力とし、該判定結果が、前記蓄積媒体が映像、音声の記録再生に適していないことを示す場合に、前記蓄積媒体を取り外す脱着手段を備えるようにしたものである。
【００１８】
また、前記映像蓄積装置において、ユーザの指示に基づいて、前記エンコーダ手段と、前記パターン出力手段とに、ビットレート変更の指示を出すビットレート変更指示手段を備えるようにしたものである。
【００１９】
また、前記映像蓄積装置において、前記蓄積媒体の脱着を検出して、検出信号を前記システムコントロール手段に出力する検出手段を備え、前記システムコントロール手段が、検出信号に応じて前記第１及び第２の制御信号を送出するようにしたものである。
【００２０】
また、前記映像蓄積装置において、任意の時間毎に前記蓄積媒体の接続状況を判定して、前記蓄積媒体の脱着が検出された場合に検出信号を前記システムコントロール手段に出力する検出手段を備え、前記システムコントロール手段が、前記検出信号に応じて前記第１及び第２の制御信号を送出するようにしたものである。
【００２１】
また、前記映像蓄積装置において、前記パターン出力手段が、ＤＶＤ−Ｖｉｄｅｏ  Ｆｏｒｍａｔで記載された符号化ストリームを、前記エンコーダ手段が出力する符号化ストリームの代わりにストリームコントロール手段に出力するようにしたものである。
【００２２】
また、前記映像蓄積装置において、前記パターン出力手段が、ＤＶＤ−Ｖｉｄｅｏ  Ｆｏｒｍａｔ、またはＭＰＥＧ  Ｔｒａｎｓｐｏｒｔ  Ｓｔｒｅａｍで記載された符号化ストリームを、前記エンコーダ手段が出力する符号化ストリームの代わりに前記ストリームコントロール手段に出力するようにしたものである。
【００２３】
【発明の実施の形態】
（実施の形態１）
図１は、本発明の実施の形態１に係る映像蓄積装置の構成を示すブロック図であり、図において、１１は起動装置、１２はシステムコントロールマイクロプロセッサ、１３はパターンタイミング生成装置、１４はパターンメモリ、１５はセレクタ、１６は判定装置、１７は比較器、１８は期待値メモリを示す。エンコーダ装置２１は、入力されたデジタル映像及び音声信号２ａを符号化し、符号化データ２ｂを出力する。映像信号の圧縮には、ＭＰＥＧビデオが用いられ、音声圧縮には、ＭＰＥＧ  Ａｕｄｉｏや、ＡＣ３等が用いられる。これらの符号化データは、ＩＳＯ／ＩＥＣ１３８１８−１の方式に従って多重化され符号化データ２ｂとして出力される。符号化データ２ｂは、ストリームコントロール装置２２に入力され、バッファ２３に格納される。バスシステム２７はアービトレーションを行い、バッファ２３から記録データ２ｃを送受信データ２ｄとして蓄積媒体２４に送出する。蓄積媒体２４は、ＤＶＤやハードディスク等のデジタルデータ蓄積が可能なランダムアクセスが可能な媒体であり、送出データ２ｄを記録することが可能である。バスシステム２７はアービトレーションを行い、蓄積媒体２４から送受信データ２ｄを再生し、バッファ２５に再生データ２ｅを格納する。バスシステム２７は、データ２ｃ、データ２ｅのアービトレーションを行うことで同時記録再生を可能とする。デコーダ装置２６は、バッファ２５から送出された符号化データ２ｆを、デコーダ装置２６で復号化し、復号化データ２ｇを出力する。
【００２４】
本実施の形態１では、蓄積媒体２４に記録されるストリームデータは、ＤＶＤ−Ｖｉｄｅｏ  Ｆｏｒｍａｔ（ＤＶＤビデオフォーマット）、またはＤＶＤ−Ｖｉｄｅｏ  Ｒｅｃｏｒｄｉｎｇ  Ｆｏｒｍａｔ（ＤＶＤビデオレコーディングフォーマット）で記録されているものとして説明する。ＤＶＤ−Ｖｉｄｅｏ  Ｆｏｒｍａｔ、及びＤＶＤ−Ｖｉｄｅｏ  Ｒｅｃｏｒｄｉｎｇ  Ｆｏｒｍａｔは２０４８バイト単位のパケットで構成される。
【００２５】
図８にＤＶＤ−Ｖｉｄｅｏ  Ｆｏｒｍａｔ、及びＤＶＤ−Ｖｉｄｅｏ  Ｒｅｃｏｒｄｉｎｇ  Ｆｏｒｍａｔで用いられるパケットの構造を示す。Ｐａｃｋｅｔ＿Ｓｔａｒｔ＿Ｃｏｄｅは、３２’ｈ０００００１ＢＡの固定値であり、ＳＣＲは、６バイト長のクロック情報である。ｐｒｏｇｒａｍ＿ｍｕｘ＿ｒａｔｅは、最大ビットレートを示し、通常はＤＶＤ自身の最大ビットレートである１０．０８Ｍｂｐｓを示す２４’ｈ０１８９Ｃ３で固定されている。ｐａｃｋ＿ｓｔｕｆｆｉｎｇ＿ｌｅｎｇｔｈは、パケットのスタッフィングの長さを示す。ｐａｃｋｅｔｓは、映像、音声のデータでここに、ＩＳＯ／ＩＥＣ１３８１８−１で示されたプログラムストリームが記述される。
【００２６】
蓄積媒体２４を交換した場合、ストリームコントロール装置２２に内蔵された起動装置１１が起動し、検知信号１ａをシステムコントロールマイクロプロセッサ１２に出力する。システムコントロールマイクロプロセッサ１２は検知信号１ａを受け取ると、蓄積媒体２４がＡＶ（オーディオ・ビジュアル）機器用途に適しているかを判定するテストを開始するために、起動信号１ｂをパターンタイミング生成装置１３に、制御信号１ｉをセレクタ１５に、起動信号１ｃを判定装置１６に出力する。パターンタイミング生成装置１３は起動信号１ｂを受け取ると、パターンメモリ１４に格納されたテストパターンを送出するためのタイミング信号１ｄを生成する。タイミング信号１ｄは出力時間情報で構成されている。パターンメモリ１４には、高いビットレートで映像及び音声を圧縮したストリームデータが予め格納されている。このストリームデータは、ＤＶＤ−Ｖｉｄｅｏ  Ｆｏｒｍａｔ、またはＤＶＤ−Ｖｉｄｅｏ  Ｒｅｃｏｒｄｉｎｇ  Ｆｏｒｍａｔの形式である。このストリームデータとしては、発生符号量がピークとなるようなパターンが好ましい。
【００２７】
パターンメモリ１４は、パターンタイミング生成装置１３より受け取ったタイミング信号１ｄの時間情報に従って、符号化データ１ｅを出力する。セレクタ１５は、符号化データ１ｅと２ｂを選択するもので、制御信号１ｉにより、通常時は２ｂを、テスト時は１ｅを選択する。セレクタ１５により選択された符号化データ１ｆは、ストリームコントロール装置２２に入力され、バッファ２３に格納される。バスシステム２７はアービトレーションを行い、バッファ２３から記録データ２ｃを送受信データ２ｄとして蓄積媒体２４に送出する。バスシステム２７は、記録データ２ｃと、再生データ２ｅのアービトレーションを行うことで同時記録再生を可能とする。バスシステム２７はアービトレーションを行い、蓄積媒体２４から送受信データ２ｄを再生し、バッファ２５に再生データ２ｅを格納する。判定装置１６は、バッファ２５から送出された符号化データ２ｆを受け取り、比較器１７において、データ２ｆと、期待値メモリ１８から読み出したデータ１ｇとのデータ比較を行う。データ１ｇは、パターンメモリ１４から出力された符号化データ１ｅと一致する。比較器１７は、データ２ｆとデータ１ｇが一致するか、一致しないかの比較を行う。判定装置１６は、比較器１７での比較結果をもとに、判定信号１ｈを出力する。判定信号１ｈは、交換した蓄積媒体２４が、このシステムに適するかどうかを示す。例えば、交換した蓄積媒体２４が同時記録再生に適しているか否か、あるいはＡＶ用途として適しているか否か、ということを示す。
【００２８】
本実施の形態１においては、ストリームデータを入力とし、ストリームデータの形式で比較を行う。これは、ＤＶＤなどのＰｒｏｇｒａｍ  Ｓｔｒｅａｍで有効である。Ｐｒｏｇｒａｍ  Ｓｔｒｅａｍの場合、入出力の一致が取れれば、システムに適するかどうかを判定することが可能である。
【００２９】
以上のように、本実施の形態１によれば、蓄積媒体２４を交換した場合に、交換した蓄積媒体２４に、テスト用の符号化データ１ｅを書き込み、蓄積媒体２４から読み出した符号化データと、期待値メモリ１８から読み出したデータ１ｇとをデータ比較するようにしたので、交換した蓄積媒体が映像、音声のストリームデータの記録再生に適しているかどうかを、実際に使用する前に検査することが可能な映像蓄積装置を提供できる効果を奏する。これにより、蓄積媒体が記録再生に適していないものである場合、必要に応じてユーザが蓄積媒体を交換することで、正常な記録再生を可能とすることができる。
【００３０】
（実施の形態２）
図３は、本発明の実施の形態２に係る映像蓄積装置の構成を示すブロック図であり、図において、図１と同一符号は同一または相当する部分を示している。本実施の形態２に係る映像蓄積装置は、図１に示した実施の形態１に係る映像蓄積装置の判定装置１６の入力をデータ２ｆから復号化データ２ｇに変更し、書き換え装置３１を新たに設け、パターンメモリ１４をパターンメモリ３２に、期待値メモリ１８を期待値メモリ３３に変更したものである。パターンメモリ１４とパターンメモリ３２とは、同一の動作を行うが、パターンメモリ１４がＤＶＤフォーマットのストリームデータを入力したのに対し、パターンメモリ３２は、ＩＳＯ／ＩＥＣ１３８１８−１で規定されたＭＰＥＧ  Ｔｒａｎｓｐｏｒｔ  Ｓｔｒｅａｍ（ＭＰＥＧトランスポートストリーム）を入力する。期待値メモリ３３には、圧縮データではなく、復号化された状態の映像や音声のデータを記録している。
【００３１】
書き換え装置３１は、タイミング信号１ｄを受け取ると、そこに含まれている時間情報を元にパターンメモリ３２中のストリームデータの時間情報を書き換える。書き換える情報としては、ＰＴＳやＤＴＳ、Ａｒｒｉｖｅｄ（Ｒｅｃｏｒｄｅｄ）ＴｉｍｅＳｔａｍｐ等がある。
【００３２】
符号化データ２ｆをデコーダ装置２６により復号化した復号化データ２ｇを、判定装置１６は受け取る。比較器１７において、復号化データ２ｇと、期待値メモリ３３から読み出した復号化データ３ａとのデータ比較を行う。復号化データ３ａは、パターンメモリ３２から出力された符号化データ１ｅをデコーダ装置２６で復号化したデータと等しいものとしておく。比較器１７は、復号化データ２ｇと復号化データ３ａが一致するか、一致しないかの比較を行う。判定装置１６は、比較器１７での比較結果をもとに、判定信号１ｈを出力する。判定信号１ｈは、交換した蓄積媒体２４が、このシステムに適するかどうかを示す。
【００３３】
上述した実施の形態１においては、ストリームデータを入力し、そのストリームデータそのものを比較に用いたが、ＭＰＥＧ  Ｔｒａｎｓｐｏｒ  Ｓｔｒｅａｍの場合、この方式では正しい判定を得ることはできない。なぜならＭＰＥＧ  Ｔｒａｎｓｐｏｒ  Ｓｔｒｅａｍの場合、正しいパケットデータが正しいタイミングで出力されなければ、正しいデコード画像を得ることが出来ないため、出力データの比較だけでは、タイミングが正しいかどうか判定できないからである。
【００３４】
このため、本実施の形態２においては、書き換え装置３１が、タイミング信号１ｄに含まれている時間情報を元にパターンメモリ３２中のストリームデータの時間情報を書き換え、正しいパケットデータが正しいタイミングで出力されるようにしている。このようにして、正しいパケットデータが正しいタイミングで出力されれば、デコード画像は正しくなるため、デコード画像で比較を取ることで正しい比較結果を得ることが可能になり、上記実施の形態１と同様の効果を奏することができる。
【００３５】
なお、本実施の形態２においては、ＭＰＥＧ  Ｔｒａｎｓｐｏｒｔ  Ｓｔｒｅａｍに対して適用した場合について説明したが、本発明は、ＤＶＤ等のＰｒｏｇｒａｍ  Ｓｔｒｅａｍに対して適用してもよい。
【００３６】
（実施の形態３）
図４は、本発明の実施の形態３に係る映像蓄積装置の主要部の構成を示すブロック図であり、図において、図１と同一符号は同一または相当する部分を示している。本実施の形態３に係る映像蓄積装置は、実施の形態１において説明した映像蓄積装置において、表示手段４１、ユーザインタフェイス４２を備えるようにしたものであり、判定装置１６の出力１ｈを表示手段４１に出力するようにし、表示手段４１は、判定信号１ｈの内容から、交換した蓄積媒体が、音声、映像の記録再生の適した蓄積媒体かどうか検査した結果を情報４ａとして出力する。出力内容としては、例えば、同時記録再生可能である、あるいは、同時記録再生不可能である、ということをユーザに通知する。同時記録再生不可能である場合、ユーザは、ユーザインタフェイス４２を用いて、同時記録再生機能は用いず、記録のみの機能、あるいは、再生のみの機能を使用するということを決定し、ユーザ指示４ｂを出す。システムコントロールマイクロプロセッサ１２は、ユーザ指示４ｂを受け取り、４ｂが記録のみの機能を指示している場合は、記録指示４ｃを符号化２１に送り、蓄積媒体にデジタル映像及び音声信号２ａを記録する。４ｂが再生のみの機能を指示している場合は、再生指示４ｄをＡＶデコーダ２６に送り、蓄積媒体に記録されたデータを復号化し復号化データ２ｇを再生する。
【００３７】
このような実施の形態３に係る映像蓄積装置によれば、ユーザは、接続した蓄積媒体に対して適切な動作設定を与えることが可能になり、記録再生が停止、または誤った記録再生動作を行うという問題を事前に回避することが可能になるという効果を奏する。
【００３８】
なお、本実施の形態３においては、実施の形態１に係る映像蓄積装置に表示手段４１、ユーザインタフェイス４２を設けた場合について説明したが、本発明においては、実施の形態２に係る映像蓄積装置に表示手段４１、ユーザインタフェイス４２を設ける構成としてもよく、このような場合においても、前記実施の形態３と同様の効果を奏する。
【００３９】
（実施の形態４）
図６は、本発明の実施の形態４に係る映像蓄積装置の主要部の構成を示すブロック図であり、図において、図１と同一符号は同一または相当する部分を示している。本実施の形態４に係る映像蓄積装置は、上述した実施の形態１に係る映像蓄積装置において、脱着装置６１を設けるようにしたものであり、判定装置１６の出力１ｈを脱着装置６１に入力する。脱着装置６１は、判定信号１ｈの内容から判断して、交換した蓄積媒体２４が映像、音声の記録再生用途の蓄積媒体２４として使用不可能な場合、蓄積媒体２４の脱着指示６ａを出す。蓄積媒体２４は、脱着指示６ａを受け取り、映像蓄積装置から切り離される。
【００４０】
なお、脱着装置６１は、判定信号１ｈの内容に基づく蓄積媒体の脱着のみに注目するのではなく、脱着装置６１自身が蓄積媒体の接続を確認するようにし、蓄積媒体が正しく接続されている、正しく接続されていない、といった蓄積媒体の接続確認の結果を、判定信号１ｈとして出力してもよい。例えば、常時、あるいは任意の時間間隔をおいて、蓄積媒体の接続を確認しても良い。
【００４１】
このような実施の形態４に係る映像蓄積装置によれば、接続した蓄積媒体が使用不可能である場合、蓄積媒体が取り出されることで、ユーザは交換した蓄積媒体が使用不可能であることを知ることができ、使用できない蓄積媒体を誤って使用することを防ぐことができる効果がある。
【００４２】
なお、本実施の形態４においては、実施の形態１に係る映像蓄積装置に適用した場合について説明したが、本発明は、実施の形態２に係る映像蓄積装置にも適用できるものであり、このような場合においても、前記実施の形態４と同様の効果を奏する。
【００４３】
（実施の形態５）
図７は、本発明の実施の形態５に係る映像蓄積装置の主要部の構成を示すブロック図であり、図において図１及び図４と同一符号は同一または相当する部分を示している。本実施の形態５に係る映像蓄積装置は、上述した実施の形態３に係る映像蓄積装置において、システムコントロールマイクロプロセッサ１２の代わりに、このシステムコントロールマイクロプロセッサ１２と同等の機能に加え、ビットレート変更の指示を出すことができるビットレート変更指示装置７１を設けるようにしたものである。
【００４４】
本実施の形態５においては、実施の形態３で挙げた映像蓄積装置のユーザインタフェイス４２の出力として、交換した蓄積媒体２４で同時記録再生機能を使用できるようにビットレートを変更するユーザ指示４ｂをビットレート変更指示装置７１に出す。ビットレート変更指示装置７１は、指示４ｂを受け取ると、ビットレートを変更するよう、エンコーダ装置２１にビットレート変更指示７ａを出力する。また、ビットレート変更指示装置７１は、パターンタイミング生成装置１３にタイミング変更指示７ｂを出力する。パターンタイミング生成装置１３は変更指示７ｂを受け取り、再度、蓄積媒体２４が変更したビットレートで同時記録再生可能かどうかを判定することができる。
【００４５】
このような本実施の形態５に係る映像蓄積装置によれば、接続した蓄積媒体２４に記録再生が可能なビットレートを設定できるようにすることで、記録再生が停止、または誤った記録再生動作を行うという問題を事前に回避することができる映像蓄積装置を提供できる効果がある。
【００４６】
【発明の効果】
以上のように、本発明によれば、入力されたデジタル映像及び音声信号を符号化し、符号化ストリームとして出力するエンコーダ手段と、前記符号化ストリームを蓄積する蓄積媒体と、前記エンコーダ手段が出力する符号化ストリームを前記蓄積媒体へ書き込み、前記蓄積媒体に蓄積された符号化ストリームを再生データとして読み出すストリームコントロール手段と、該ストリームコントロール手段が読み出した前記再生データを復号化するデコーダ手段と、第１及び第２の制御信号を出力するシステムコントロール手段と、前記第１の制御信号を入力とし、該第１の制御信号が入力された場合に、予め設定されたパターンの符号化ストリームを、前記エンコーダ手段が出力する符号化ストリームの代わりに前記ストリームコントロール手段に送出するパターン出力手段と、前記第２の制御信号を入力とし、該第２の制御信号が入力された場合に、前記ストリームコントロール手段が前記蓄積媒体から読み出した前記再生データを入力とし、該再生データが、前記パターン出力手段から送出された符号化ストリームと一致するかどうかを比較し、比較結果に基づき前記蓄積媒体の判定結果を出力する判定手段とを備えたので、情報の記録再生に対する蓄積媒体の適性を判定可能な映像蓄積装置を提供できる効果がある。
【００４７】
また、本発明によれば、入力されたデジタル映像及び音声信号を符号化し、符号化ストリームとして出力するエンコーダ手段と、前記符号化ストリームを蓄積する蓄積媒体と、前記エンコーダ手段が出力する符号化ストリームを前記蓄積媒体へ書き込み、前記蓄積媒体に蓄積された符号化ストリームを再生データとして読み出すストリームコントロール手段と、該ストリームコントロール手段が読み出した前記再生データを復号化するデコーダ手段と、第１及び第２の制御信号を出力するシステムコントロール手段と、前記第１の制御信号を入力とし、該第１の制御信号が入力された場合に、予め設定されたパターンの符号化ストリームを、前記エンコーダ手段が出力する符号化ストリームの代わりに前記ストリームコントロール手段に送出するパターン出力手段と、前記第２の制御信号を入力とし、該第２の制御信号が入力された場合に、前記デコーダ手段が復号化したデータを入力とし、該復号化したデータが、前記パターン出力手段から送出された符号化ストリームを復号化したデータと一致するかどうかを比較し、比較結果に基づき前記蓄積媒体の判定結果を出力する判定手段とを備えたので、情報の記録再生に対する蓄積媒体の適性を判定可能な映像蓄積装置を提供できる効果がある。
【００４８】
また、本発明によれば、前記映像蓄積装置において、前記判定手段の判定結果を表示する表示手段と、ユーザの指示を前記システムコントロール手段に伝えるユーザインタフェイスとを備え、前記システムコントロール手段が、ユーザ指示に基づいた指示を、前記エンコーダ手段と、デコーダ手段とに与えるようにしたので、情報の記録再生に対する蓄積媒体の適性を判定できるとともに、その判定結果をユーザに通知することで、蓄積媒体に対して判定結果に応じた記録のみの機能の使用、再生のみの機能の使用を選択することができる映像蓄積装置を提供できる効果がある。
【００４９】
また、本発明によれば、前記映像蓄積装置において、前記判定結果を入力とし、該判定結果が、前記蓄積媒体が映像、音声の記録再生に適していないことを示す場合に、前記蓄積媒体を取り外す脱着手段を備えるようにしたので、情報の記録再生に対する蓄積媒体の適性を判定できるとともに、使用できない蓄積媒体を誤って使用することを防ぐことができる映像蓄積装置を提供できる効果がある。
【００５０】
また、本発明によれば、前記映像蓄積装置において、ユーザの指示に基づいて、前記エンコーダ手段と、前記パターン出力手段とに、ビットレート変更の指示を出すビットレート変更指示手段を備えるようにしたので、情報の記録再生に対する蓄積媒体の適性を判定できるとともに、その判定結果をユーザに通知して、判定結果に応じたビットレートの変更が可能な映像蓄積装置を提供できる効果がある。
【００５１】
また、本発明によれば、前記映像蓄積装置において、前記蓄積媒体の脱着を検出して、検出信号を前記システムコントロール手段に出力する検出手段を備え、前記システムコントロール手段が、検出信号に応じて前記第１及び第２の制御信号を送出するようにしたので、蓄積媒体に実際の映像、音声信号の符号化データを蓄積する前に、情報の記録再生に対する蓄積媒体の適性を判定可能な映像蓄積装置を提供できる効果がある。
【００５２】
また、本発明によれば、前記映像蓄積装置において、任意の時間毎に前記蓄積媒体の接続状況を判定して、前記蓄積媒体の脱着が検出された場合に検出信号を前記システムコントロール手段に出力する検出手段を備え、前記システムコントロール手段が、前記検出信号に応じて前記第１及び第２の制御信号を送出するようにしたので、情報の記録再生に対する蓄積媒体の適性を判定可能な映像蓄積装置を提供できる効果がある。
【００５３】
また、本発明によれば、前記映像蓄積装置において、前記パターン出力手段が、ＤＶＤ−Ｖｉｄｅｏ  Ｆｏｒｍａｔで記載された符号化ストリームを、前記エンコーダ手段が出力する符号化ストリームの代わりにストリームコントロール手段に出力するようにしたので、情報の記録再生に対する蓄積媒体の適性を判定可能な映像蓄積装置を提供できる効果がある。
【００５４】
また、本発明によれば、前記映像蓄積装置において、前記パターン出力手段が、ＤＶＤ−Ｖｉｄｅｏ  Ｆｏｒｍａｔ、またはＭＰＥＧ  Ｔｒａｎｓｐｏｒｔ  Ｓｔｒｅａｍで記載された符号化ストリームを、前記エンコーダ手段が出力する符号化ストリームの代わりに前記ストリームコントロール手段に出力するようにしたので、情報の記録再生に対する蓄積媒体の適性を判定可能な映像蓄積装置を提供できる効果がある。
【図面の簡単な説明】
【図１】本発明の実施の形態１に係る映像蓄積装置の構成を示すブロック図である。
【図２】従来の映像蓄積装置の構成を示すブロック図である。
【図３】本発明の実施の形態２に係る映像蓄積装置の構成を示すブロック図である。
【図４】本発明の実施の形態３に係る映像蓄積装置の主要部の構成を示すブロック図である。
【図５】従来の映像蓄積装置のバスシステムの構成を示す図である。
【図６】本発明の実施の形態４に係る映像蓄積装置の主要部の構成を示すブロック図である。
【図７】本発明の実施の形態５に係る映像蓄積装置の主要部の構成を示すブロック図である。
【図８】本発明の実施の形態１に係る映像蓄積装置を説明するための、ＤＶＤのパケット構造を示す図である。
【符号の説明】
１１  起動装置
１２  システムコントロールマイクロプロセッサ
１３  パターンタイミング生成装置
１４  パターンメモリ
１５  セレクタ
１６  判定装置
１７  比較器
１８  期待値メモリ
１ａ  検知信号
１ｂ  起動信号
１ｃ  起動信号
１ｄ  タイミング信号
１ｅ  符号化データ
１ｆ  符号化データ
１ｇ  符号化データ
１ｈ  判定信号
１ｉ  制御信号
２１  エンコーダ装置
２２  ストリームコントロール装置
２３  バッファ
２４  蓄積媒体
２５  バッファ
２６  デコーダ装置
２７  バスシステム
２ａ  デジタル映像及び音声信号
２ｂ  符号化データ
２ｃ  記録データ
２ｄ  送受信データ
２ｅ  再生データ
２ｆ  符号化データ
２ｇ  復号化データ
３１  書き換え装置
３２  パターンメモリ
３３  期待値メモリ
３ａ  復号化データ
４１  表示手段
４２  ユーザインタフェイス
４ａ  情報
４ｂ  ユーザ指示
４ｃ  記録指示
４ｄ  再生指示
６１  脱着装置
６ａ  脱着指示
７１  ビットレート変更指示装置
７ａ  ビットレート変更指示
７ｂ  タイミング変更指示
【図１】
2005018899.tif 000003
【図２】
2005018899.tif 000004
【図３】
2005018899.tif 000005
【図４】
2005018899.tif 000006
【図５】
2005018899.tif 000007
【図６】
2005018899.tif 000008
【図７】
2005018899.tif 000009
【図８】
2005018899.tif 000010